(57)【要約】      （修正有）【課題】トップリフトを交換したとき、トップリフトの接地面とユーザの履きなれた状態の履物の接地面とを平行にすることができる履物底及び履物を提供する。【解決手段】トップリフト１のピン１１は、履物の踵の底面に開口を有する穴に挿入される。例えば、ピン１１は、ハイヒールのヒールが有する芯パイプに挿入される。ベース１２は、ピン１１の一端１１ａが可動するように、ピン１１の他端１１ｂが連結される。例えば、ピン１１の他端１１ｂは、球形状を有し、ベース１２は、球形状を有するピン１１の他端１１ｂを収容する球形状の穴１２ｂを有する。【選択図】図６
0003178955.tif 000002
【実用新案登録請求の範囲】
【請求項１】
履物の踵の底面に開口を有する穴へ挿入される軸部と、
前記軸部の一端が可動するように前記軸部の他端が連結される基部と、
を有することを特徴とする履物底。
【請求項２】
前記軸部の他端の断面積は、前記軸部の他の部分の断面積より大きく、
前記基部は、前記軸部の他端を収容する穴を有することを特徴とする請求項１に記載の履物底。
【請求項３】
前記軸部は、筒形状を有し、
前記軸部の他端は、筒形状の前記軸部の半径より大きい半径を有した球状形状を有し、
前記基部は、筒形状の前記軸部が通る開口を有した、前記軸部の他端を収容する穴を有することを特徴とする請求項１に記載の履物底
【請求項４】
前記軸部は、筒形状を有し、
前記軸部の他端は、筒形状の前記軸部の半径より大きい半径を有した円形形状を有し、
前記基部は、筒形状の前記軸部が通る開口を有した、前記軸部の他端を収容する穴を有することを特徴とする請求項１に記載の履物底。
【請求項５】
前記軸部の他端は、前記軸部の長手方向に対し垂直方向に伸びる頭部を有し、
前記基部は、前記頭部を収容する穴を有することを特徴とする請求項１に記載の履物底。
【請求項６】
前記基部は、前記軸部の他端を収容する穴を有し、
前記穴は、金属によって形成されていることを特徴とする請求項１に記載の履物底。
【請求項７】
履物の踵に形成された穴へ挿入される軸部と、前記軸部の一端が可動するように前記軸部の他端が連結される基部と、を備えた履物底、
を有することを特徴とする履物。
【考案の詳細な説明】
【技術分野】
【０００１】
本件は、履物底および履物に関する。
【背景技術】
【０００２】
履物の踵部分の底は、歩行などによって摩耗しやすい。そのため、履物の踵部分の底には、例えば、トップリフト（履物底）が取り付けられ、トップリフトが摩耗または破損した場合、それを交換できるようになっている。
【０００３】
なお、従来、接地面を革材で形成することにより、歩行に際してこつこつという音が発生せず、滑りにくく、床に傷や色を付けることのないトップリフトが提供されている。
【０００４】
また、従来、製造が容易であり、かつ衝撃吸収性が高く、接地面側の部分が摩耗しても、一定のクッション性を維持することができるトップリフトが提案されている。
【０００５】
さらに、従来、外観上の見栄えがよく十分なファッション性、強度を備えつつ、ヒールの高さを非常に簡易に変更できる靴および靴用ヒール部品が提供されている。
【先行技術文献】
【特許文献】
【０００６】
【特許文献１】登録実用新案公報第３０５８３０５号公報
【特許文献２】特開２００５−１７７２７１号公報
【特許文献３】特開平１０−２１５９１４号公報
【考案の概要】
【考案が解決しようとする課題】
【０００７】
しかし、トップリフトを交換したとき、交換したトップリフトの接地面と、ユーザの履きなれた状態の接地面との角度が異なる場合があるという問題点があった。
１つの側面では、本件は、履物底を交換したとき、履物底の接地面を、ユーザの履きなれた状態の履物の接地面と平行にすることができることを目的とする。
【課題を解決するための手段】
【０００８】
上記課題を解決するために、履物底が提供される。この履物底は、履物の踵の底面に開口を有する穴へ挿入される軸部と、前記軸部の一端が可動するように前記軸の他端が連結される基部と、を有する。
【考案の効果】
【０００９】
開示の履物底および履物によれば、履物底を交換したとき、履物底の接地面を、ユーザの履きなれた状態の履物の接地面と平行にすることができる。
【図面の簡単な説明】
【００１０】
【図１】第１の実施の形態に係るトップリフトが適用される履物の側面図である。
【図２】図１の履物のヒール部分の側断面図である。
【図３】トップリフトが取り付けられていない状態のヒールの底面図を示した図である。
【図４】トップリフトの斜視図である。
【図５】図４のトップリフトのピンの斜視図である。
【図６】図４のトップリフトの側断面図である。
【図７】図４のトップリフトの側断面図である。
【図８】ヒールが摩耗した履物を示した図である。
【図９】履物の修理を説明する図のその１である。
【図１０】履物の修理を説明する図のその２である。
【図１１】カットしたヒールにトップリフトを取り付けた図である。
【図１２】図４〜図７のトップリフトを用いた履物の修理を説明する図である。
【図１３】第２の実施の形態に係るトップリフトのピンの斜視図である。
【図１４】図１３のピンを有するトップリフトの側断面図である。
【図１５】第３の実施の形態に係るトップリフトのピンの斜視図である。
【図１６】図１５のピンを有するトップリフトの側断面図である。
【図１７】第４の実施の形態に係るトップリフトのピンの斜視図である。
【図１８】図１７のピンを有するトップリフトの側断面図である。
【図１９】第５の実施の形態に係るトップリフトの斜視図である。
【図２０】図１９のトップリフトの側断面図である。
【考案を実施するための形態】
【００１１】
以下、実施の形態を、図面を参照して詳細に説明する。以下では、履物底をトップリフトまたはピンリフトと呼ぶことがある。
［第１の実施の形態］
【００１２】
図１は、第１の実施の形態に係るトップリフトが適用される履物の側面図である。履物は、例えば、ハイヒールである。図１に示すように、履物は、トップリフト１、ヒール２、カップ３、ふまず部４、およびアッパー５を有している。ふまず部４の内部には、カップ３からアッパー５にかけて伸びるシャンク（鉄心）が挿入されている。
【００１３】
図２は、図１の履物のヒール部分の側断面図である。図２では、トップリフト１がヒール２に取り付けられる前の状態を示している。図２において、図１と同じものには同じ符号が付してある。
【００１４】
図２に示すように、ヒール２は、内部に芯パイプ２ａを有している。芯パイプ２ａは、例えば、筒形状を有した鉄のパイプである。芯パイプ２ａは、ヒール２の底側に開口を有している。
【００１５】
以下で詳細に説明するが、トップリフト１は、芯パイプ２ａの穴に挿入される軸部を有している。また、トップリフト１は、軸部と連結され、ヒール２の底部に固定される基部を有している。以下では、トップリフト１の軸部をピンと呼ぶことがある。また、トップリフト１の基部をベースと呼ぶことがある。
図３は、トップリフトが取り付けられていない状態のヒールの底面図を示した図である。図３において、図２と同じものには同じ符号が付してある。
【００１６】
図２で説明したように、芯パイプ２ａは、ヒール２の底部側に開口を有している。この開口を介し、穴２ｂには、トップリフト１のピンが挿入される。そして、ヒール２の底部には、トップリフトのベースが固定される。
【００１７】
図４は、トップリフトの斜視図である。図１に示すように、トップリフト１は、ピン１１およびベース１２を有している。ベース１２のピン１１方向から見た形状は、例えば、ヒール２の底部側から見た形状と同様になっている。具体的には、ベース１２のピン１１方向から見た形状は、図３に示すヒール２の底部の形状と同様になっている。
【００１８】
図５は、図４のトップリフトのピンの斜視図である。図５に示すように、ピン１１は、筒形状を有している。ピン１１の一端１１ａは、芯パイプ２ａの穴に挿入されやすいように先が細くなっている（テーパ状をなしている）。また、ピン１１の他端１１ｂは、筒形状の半径より大きい半径を有した、球形状を有している。ピン１１の他端１１ｂの球を半分にしたときの断面積は、ピン１１の他の部分の断面積（筒の部分の円となる断面積）より大きくなっている。ピン１１は、例えば、金属によって形成されている。
図６は、図４のトップリフトの側断面図である。図６において、図４と同じものには同じ符号が付してある。
【００１９】
図６に示すように、ベース１２は、ピン１１の筒状の部分が通る開口部１２ａを有している。開口部１２ａの形状は、例えば、円形状であり、ピン１１の筒状の部分の半径より大きい半径を有している。また、開口部１２ａの半径は、ピン１１の他端１１ｂの半径より小さい半径を有している。ベース１２は、例えば、合成ゴムによって形成されている。
【００２０】
ベース１２は、ピン１１の他端１１ｂを収容する穴１２ｂを有している。穴１２ｂは、例えば、球形状を有し、ピン１１の他端１１ｂの球形状の半径と同じか、それより大きい半径を有している。また、球形状の穴１２ｂの半径は、開口部１２ａの半径より大きい。
球形状の半径は、例えば、２ｍｍである。ベース１２の厚さ（紙面の垂直方向における厚さ）は、例えば、６〜７ｍｍである。
図７は、図４のトップリフトの側断面図である。図７において、図６と同じものには同じ符号が付してある。
【００２１】
図６で説明したように、ベース１２の開口部１２ａは、例えば、円形状を有し、ピン１１の筒状の部分の半径より大きい半径を有している。また、開口部１２ａは、ピン１１の他端１１ｂの半径より小さい半径を有している。
【００２２】
球形状の穴１２ｂは、ピン１１の他端１１ｂの球形状の半径と同じか、それより大きい半径を有している。また、球形状の穴１２ｂは、開口部１２ａの半径より大きい半径を有している。これにより、ピン１１は、ベース１２に連結されるとともに、その一端１１ａは、他端１１ｂを支点として可動することができる。
【００２３】
例えば、図７の矢印Ａ１に示すように、ピン１１の一端１１ａは、他端１１ｂを支点として円運動するように可動することができる。また、ピン１１の一端１１ａは、例えば、図７の矢印Ａ１２に示すように、紙面の左右方向や、紙面奥および手前の方向など、他端１１ｂを支点として様々な方向に可動することができる。ベース１２の開口部１２ａがピン１１に当たることによりピンの可動が制限されるが、それ以外には自由に動けること、すなわち、開口部１２ａの形状に応じてピンの可動範囲を決定することができる。
図８は、ヒールが摩耗した履物を示した図である。図８において、図１と同じものには同じ符号が付してある。
【００２４】
履物の踵部分は、歩行などによって摩耗しやすい。そのため、トップリフト１が摩耗し、ユーザがそのまま使用し続ければ、図８に示すように、ヒール２まで摩耗してしまう。
【００２５】
図８に示す点線Ｂ１１は、履物の購入時など、履物が新しいときの接地面を示している。履物が新しいときのトップリフト１の接地面は、点線Ｂ１１に示すように、地面と平行である。
【００２６】
一方、例えば、ユーザが履物を使用し、トップリフト１が摩耗すると、トップリフト１の接地面の角度は、地面と平行でなくなる。また、トップリフト１が摩耗し、さらにヒール２が摩耗した場合も、ヒール２の接地面の角度は、地面と平行でなくなる。図８に示す点線Ｂ１２は、ヒール２が摩耗したときの、ヒール２の接地面を示している。
図９は、履物の修理を説明する図のその１である。図９には、ヒール２の側断面が示してある。図９において、図２と同じものには同じ符号が付してある。
【００２７】
履物は、例えば、歩行等によってトップリフトのベースが摩耗した場合、新たなトップリフトに交換される。また、履物は、トップリフトのベースが摩耗し、さらにヒール２が摩耗した場合、新たなトップリフトが取り付けられる。図９には、ヒール２が摩耗した場合の例が示してある。
【００２８】
図９に示すトップリフト２１は、トップリフト１と異なり、ピン２１ａがベース２１ｂに固定されている。すなわち、トップリフト１のように、トップリフト２１のピン２１ａの他端は可動しない。例えば、トップリフト２１は、図７に示した矢印Ａ１１，Ａ１２のように可動しない。
【００２９】
図９は、摩耗したヒール２に、トップリフト２１を取り付けて修理した例を示している。図９に示す点線Ｂ２１は、ヒール２が摩耗したときの接地面を示している。
【００３０】
トップリフト２１は、ピン２１ａが芯パイプ２ａの穴に挿入される。そして、トップリフト２１は、上記したように、ピン２１ａがベース２１ｂに固定されている。そのため、図９の矢印Ａ２１に示すように、トップリフト２１とヒール２との間に隙間が生じる。隙間には、例えば、時間経過とともに硬化する樹脂が塗りこまれる。
【００３１】
図９に示す修理では、修理後の接地面は、点線Ｂ２２に示すようになる。従って、ユーザが履きなれた履物の接地面と、修理後の接地面の角度が異なる。そのため、ユーザは、修理後の履物を履いたとき、履き心地に違和感を感じる場合がある。
【００３２】
また、ユーザが修理した履物を履いて歩いたとき、トップリフト２１のベース２１ｂには、接地面全体ではなく、矢印Ａ２２に示すポイントに力が生じる。そのため、トップリフト２１は、ヒール２から取れやすくなる。
【００３３】
図１０は、履物の修理を説明する図のその２である。図１０には、ヒール２の側断面が示してある。図１０において、図２と同じものには同じ符号が付してある。
図１０では、ヒール２を、芯パイプ２ａの長手方向と垂直となるようにカットする。例えば、ヒール２を、点線Ｂ３１に示すようにカットする。
【００３４】
図１１は、カットしたヒールにトップリフトを取り付けた図である。図１１には、ヒール２の側断面が示してある。図１１において、図９と同じものには同じ符号が付してある。
【００３５】
図１１には、カットしたヒール２に、図９で説明したトップリフト２１が取り付けられている。ヒール２を図１０のようにカットした場合、ヒール２とトップリフト２１のベース２１ｂとの間には、隙間が生じない。
【００３６】
しかし、ヒール２をカットして修理した場合も、図９で説明したのと同様に、接地面の角度が異なる。例えば、点線Ｂ４１は、ヒール２が摩耗したときの接地面を示し、点線Ｂ４２は、修理後の接地面を示し、それぞれの接地面の角度は異なる。そのため、ユーザは、修理後の履物を履いたとき、履き心地に違和感を感じる場合がある。また、トップリフト２１は、ヒール２から取れやすくなる。
【００３７】
図１２は、図４〜図７のトップリフトを用いた履物の修理を説明する図である。図１２において、図２、図４〜図７と同じものには、同じ符号が付してある。図１２では、底部が消耗したヒール２に、トップリフト１が取り付けられている。
【００３８】
トップリフト１は、図４〜図７で説明したように、ピン１１が、ベース１２に対し可動するようになっている。従って、ピン１１をヒール２の芯パイプ２ａに通し、トップリフト１をヒール２に取り付けても、ベース１２とヒール２の底部との間に隙間が生じない。例えば、トップリフト１は、図９の矢印Ａ２１に示すように、ヒール２の底部との間に隙間が生じない。言い換えれば、トップリフト１は、ベース１２の底部側と反対の面を、ヒール２の底部に密着して取り付けることができる。
【００３９】
また、トップリフト１の接地面は、図１２の点線Ｂ５１に示すように、摩耗したヒール２の接地面と平行になる。従って、ユーザは、修理後の履物を履いても、履き心地の違和感が低減される。また、ユーザが修理した履物を履いて歩いたとき、トップリフト２１のベース２１ｂには、接地面全体に力がはたらくので、トップリフト１はヒール２から取れにくい。
【００４０】
このように、トップリフト１は、履物の踵の底面に開口を有する穴に挿入されるピン１１と、ピン１１の一端１１ａが可動するようにピン１１の他端１１ｂが連結されるベース１２とを有する。これにより、トップリフト１を交換したとき、トップリフト１の接地面と、ユーザの履きなれた状態の接地面とを平行にすることができる。
【００４１】
また、トップリフト１を交換したとき、トップリフト１の接地面とユーザの履きなれた状態の接地面とを平行にすることができるので、ユーザは、トップリフト１を交換した履物を履いても、履き心地の違和感が少なくなる。また、トップリフト１は、履物の踵から外れにくくなる。
［第２の実施の形態］
次に、第２の実施の形態を、図面を参照して詳細に説明する。第２の実施の形態では、第１の実施の形態に対し、ピンとベースの形状が異なる。
【００４２】
図１３は、第２の実施の形態に係るトップリフトのピンの斜視図である。図１３に示すように、ピン３１は、筒形状を有している。筒形状のピン３１の他端３１ａ（ベースと連結される側の端）は、筒状の部分の半径より大きい半径を有した円形形状を有している。例えば、ピン３１の他端３１ａは、半球形状を有しており、円形状となっている平面部分の半径は、筒状の部分の半径より大きい。
図１４は、図１３のピンを有するトップリフトの側断面図である。図１４において、図１３と同じものには同じ符号が付してある。
【００４３】
図１４に示すトップリフトは、ピン３１およびベース３２を有している。ベース３２は、ピン３１の筒状の部分が通る開口部３２ａを有している。また、ベース３２は、ピン３１の他端３１ａを収容する穴３２ｂを有している。
【００４４】
開口部３２ａの形状は、例えば、円形状であり、ピン３１の筒状の部分の半径より大きい半径を有している。また、開口部３２ａの半径は、ピン３１の他端３１ａの円形状となっている平面部分の半径より小さい半径を有している。
【００４５】
穴３２ｂは、例えば、半球形状を有している。穴３２ｂの円形状となっている平面部分の半径は、ピン３１の筒状の部分の半径より大きい。また、穴３２ｂの円形状となっている平面部分の半径は、ピン３１の他端３１ａの球状部分の半径より大きい。これにより、ピン３１の他端３１ａは、可動することができる。
【００４６】
このように、トップリフトのピン３１は、筒形状を有し、ベース３２に連結される他端３１ａは、筒形状の半径より大きい半径を有した円形形状を有する。また、ベース３２は、ピン３１の筒形状の部分が通る開口部３２ａを有した、ピン３１の他端３１ａを収容する穴３２ｂを有する。第２の実施の形態のトップリフトによれば、第１の実施の形態のトップリフトと同様の効果が得られる。さらに、第２の実施の形態のトップリフトによれば、ベース３２の厚さを薄くすることができる。
［第３の実施の形態］
次に、第３の実施の形態を、図面を参照して詳細に説明する。第３の実施の形態では、第２の実施の形態に対し、ピンの他端の部分が薄くなっている。
【００４７】
図１５は、第３の実施の形態に係るトップリフトのピンの斜視図である。図１５に示すように、ピン４１は、筒形状を有している。筒形状のピン４１の他端４１ａ（ベースと連結される側の端）は、筒状の部分の半径より大きい半径を有した円形形状を有している。例えば、ピン４１の他端４１ａは、球形状を有しており、円形状となっている平面部分の半径は、筒状の部分の半径より大きい。また、ピン４１の他端４１ａの球形状は、例えば、球の１／２（半球）より小さい。例えば、ピン４１の他端４１ａの球状部分の厚さは、図１３に示すピン３１より薄くなっている。
図１６は、図１５のピンを有するトップリフトの側断面図である。図１６において、図１５と同じものには同じ符号が付してある。
【００４８】
図１６に示すトップリフトは、ピン４１およびベース４２を有している。ベース４２は、ピン４１の筒状の部分が通る開口部４２ａを有している。また、ベース４２は、ピン４１の他端４１ａを収容する穴４２ｂを有している。
【００４９】
開口部４２ａの形状は、例えば、円形状であり、ピン４１の筒状の部分の半径より大きい半径を有している。また、開口部４２ａの半径は、ピン４１の他端４１ａの円形状となっている平面部分の半径より小さい半径を有している。
【００５０】
穴４２ｂは、例えば、球形状を有している。穴４２ｂの円形状となっている平面部分の半径は、筒状の部分の半径より大きい。また、穴４２ｂの円形状となっている平面部分の半径は、ピン４１の他端４１ａの円形状となっている平面部分の半径より大きい。これにより、ピン４１の他端４１ａは、可動することができる。
【００５１】
このように、トップリフトのピン４１は、筒形状を有し、ベース４２に連結される他端４１ａは、筒形状の半径より大きい半径を有した円形形状を有する。また、ベース４２は、ピン４１の筒形状の部分が通る開口部４２ａを有した、ピン４１の他端４１ａを収容する穴４２ｂを有する。これにより、第３の実施の形態のトップリフトによれば、第２の実施の形態のトップリフトと同様の効果が得られ、さらに、ベース４２の厚さを薄くすることができる。例えば、ピン４１の他端４１ａの球状部分の厚さを、図１３に示したピン３１の他端３１ａの球状部分より薄くすれば、ベース４２の厚さをより薄くすることができる。
［第４の実施の形態］
次に、第４の実施の形態を、図面を参照して詳細に説明する。第４の実施の形態では、ピンの形状がＴ字となっている。
【００５２】
図１７は、第４の実施の形態に係るトップリフトのピンの斜視図である。図１７に示すように、ピン５１は、筒形状を有している。筒形状のピン５１の他端（ベースと連結される側の端）は、筒の部分の長手方向に対し、垂直に伸びる頭部５１ａを有している。頭部５１ａは、筒形状を有している。
図１８は、図１７のピンを有するトップリフトの側断面図である。図１８において、図１７と同じものには同じ符号が付してある。
【００５３】
図１８に示すトップリフトは、ピン５１およびベース５２を有している。ベース５２は、筒形状のピン５１が通る開口部５２ａを有している。また、ベース５２は、ピン５１の頭部５１ａを収容する穴５２ｂを有している。穴５２ｂは、例えば、筒形状を有している。
【００５４】
開口部５２ａは、例えば、長方形状を有している。長方形状の長手方向は、頭部５１ａの長手方向と垂直となるようにベース５２に形成される。そして、長方形上の短手は、頭部５１ａの長手方向の長さより短くなっている。これにより、ピン５１の一端５１ｂは、頭部５１ａの長手方向に対し、垂直方向に可動する。例えば、図１８の例の場合、ピン５１の一端５１ｂは、紙面の左右方向において可動する。
【００５５】
このように、トップリフトのピン５１の他端は、長手方向に伸びる頭部５１ａを有し、ベース５２は、頭部５１ａを収容する穴５２ｂを有する。これにより、トップリフトを交換したとき、履物底の接地面とユーザの履きなれた状態の接地面とを平行にすることができる。
【００５６】
また、トップリフトを交換したとき、履物底の接地面とユーザの履きなれた状態の接地面とを平行にすることができるので、ユーザは、トップリフトを交換した履物を履いても、履き心地の違和感が少なくなる。また、トップリフトは、履物の踵から外れにくい。
［第５の実施の形態］
次に、第５の実施の形態を、図面を参照して詳細に説明する。第５の実施の形態では、ベースの穴は、金属によって形成される。
図１９は、第５の実施の形態に係るトップリフトの斜視図である。図１９において、図４と同じものには同じ符号が付してある。
図１９に示すように、ベース１２は、ピン１１の他端１１ｂを収容する収容部６１を有している。収容部６１は、例えば、鉄などの金属で形成されている。
図２０は、図１９のトップリフトの側断面図である。図２０において、図６および図１９と同じものには同じ符号が付してある。
【００５７】
図２０に示すように、ベース１２は、金属で形成された収容部６１を有している。収容部６１は、ピン１１の他端１１ｂを収容する球形状を有している。例えば、収容部６１のピン１１の他端１１ｂを収容する球形状は、図６で説明した穴１２ｂと同様の形状を有している。また、収容部６１は、図６で説明した開口部１２ａと同様の形状の開口部を有している。
【００５８】
ベース１２は、例えば、ベース１２の形状を有した金型に合成ゴムを流し込んで形成する。このとき、ピン１１の他端１１ｂが連結された収容部６１を合成ゴムに組み込み、ベース１２に収容部６１を一体化させる。なお、金型に流し込まれた合成ゴムに、収容部６１のみを組み込み、その後、ピン１１の他端１１ｂを収容部６１に連結させてもよい。
このように、ベース１２は、ピン１１の他端１１ｂを収容する、金属で形成された収容部６１を有する。これにより、トップリフト１の交換が容易となる。
【００５９】
例えば、トップリフト１をヒール２に取り付ける場合、ピン１１をヒール２の芯パイプ２ａに挿入し、ベース１２の接地面をハンマーで打つ。このとき、ベース１２は、金属で形成された収容部６１を有しているので、ハンマーで打った力がピン１１に伝わりやすく、トップリフト１の取り付けが容易となる。
【００６０】
また、ピン１１の動きは、硬いぐらいがよい。例えば、収容部６１に連結されたピン１１は、人の手では動かず、ハンマーで打ち付けたときに動くくらいがよい。これにより、ベース１２の接地面をハンマーで打つとき、ベース１２がぐらつかず、ハンマーが打ちやすくなる。なお、ピン１１の動きを硬くするには、収容部６１の球形状の半径を他端１１ｂの半径にできるだけ近づけるようにする。
【００６１】
また、上記では、ベース１２が収容部６１を有するとしたが、第２の実施の形態〜第４の実施の形態で説明したベース３２，４２，５２も、ピンの他端を収容する、金属で形成された収容部を有するようにしてもよい。また、第４の実施の形態では、上記と同様に、ピンの動きを硬くすることができる。例えば、筒形状の頭部５１ａの半径を、筒形状の穴５２ｂの半径にできるだけ近づけることにより、動きを硬くすることができる。
【００６２】
なお、本件は、上述した実施の形態に限定されるわけではなく、その他種々の変更が可能である。例えば、ピンの他端は、ベースの穴に収容されて連結され、他端が可動するようになっていればよく、その形状は任意であってよい。ベースの開口および穴の形状も同様である。金属で形成された収容部も同様である。
【符号の説明】
【００６３】
１  トップリフト
１１  ピン
１２  ベース
１２ａ  開口部
１２ｂ  穴
【図１】
0003178955.tif 000003
【図２】
0003178955.tif 000004
【図３】
0003178955.tif 000005
【図４】
0003178955.tif 000006
【図５】
0003178955.tif 000007
【図６】
0003178955.tif 000008
【図７】
0003178955.tif 000009
【図８】
0003178955.tif 000010
【図９】
0003178955.tif 000011
【図１０】
0003178955.tif 000012
【図１１】
0003178955.tif 000013
【図１２】
0003178955.tif 000014
【図１３】
0003178955.tif 000015
【図１４】
0003178955.tif 000016
【図１５】
0003178955.tif 000017
【図１６】
0003178955.tif 000018
【図１７】
0003178955.tif 000019
【図１８】
0003178955.tif 000020
【図１９】
0003178955.tif 000021
【図２０】
0003178955.tif 000022